【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワーク(WLAN)を通してワイヤレスキャリアネットワークのサービスにアクセスするための方法であって、
アクセスポイントによって、ユーザ機器から、前記WLANを通して前記ワイヤレスキャリアネットワークの前記サービスにアクセスするために接続を確立する要求を受信するステップと、
前記アクセスポイントによって、アクセスされている前記ワイヤレスキャリアネットワークの前記サービスに関連する1つまたは複数のQoSパラメータとトラフィックフローテンプレートとを含むベアラセットアップ要求をゲートウェイから受信するステップと、
前記アクセスポイントによって、1つまたは複数のアクセスカテゴリーを含む1つまたは複数のトラフィック管理パラメータに前記1つまたは複数のQoSパラメータをマッピングするステップと、
前記1つまたは複数のアクセスカテゴリーを含むベアラ構成メッセージを前記ユーザ機器に送信するステップと、
前記WLANを通して前記ワイヤレスキャリアネットワークの前記サービスにアクセスするために前記接続を確立する前記要求を受信するステップに応答して、前記WLANに関連する選択された1つまたは複数のトラフィック管理パラメータを使用して前記WLANを介してパケットを送信するステップと、
前記トラフィックフローテンプレートに基づいて送信すべきパケットをフィルタするステップと、
無線リンクを介して通信用の前記選択された1つまたは複数のトラフィック管理パラメータを前記ユーザ機器に強制するステップと
を含む、方法。
【請求項２】
前記ユーザ機器からベアラ構成完了メッセージを受信するステップと、
ベアラセットアップ応答を前記ゲートウェイに送信するステップと
をさらに含む、請求項1に記載の方法。
【請求項３】
ベアラセットアップ要求を受信するステップは、1つまたは複数の発展型パケットシステム(EPS)ベアラQoSパラメータを受信するステップを含む、請求項1に記載の方法。
【請求項４】
前記1つまたは複数のアクセスカテゴリーに基づいて媒体にアクセスするステップをさらに含む、請求項1に記載の方法。
【請求項５】
1つまたは複数のアクセスカテゴリーに前記1つまたは複数のQoSパラメータをマッピングするステップは、1つまたは複数の拡張分散チャネルアクセス(EDCA)アクセスカテゴリーに前記1つまたは複数のEPSベアラQoSパラメータをマッピングするステップを含む、請求項1に記載の方法。
【請求項６】
ベアラセットアップ要求をゲートウェイから受信するステップは、信頼性のあるワイヤレスアクセスネットワークまたは信頼性のないワイヤレスアクセスネットワークのうちの一方から前記ベアラセットアップ要求を受信するステップを含む、請求項1に記載の方法。
【請求項７】
ワイヤレスローカルエリアネットワーク(WLAN)を通してワイヤレスキャリアネットワークのサービスにアクセスするためのアクセスポイントであって、
ユーザ機器から、前記WLANを通して前記ワイヤレスキャリアネットワークの前記サービスにアクセスするために接続を確立する要求を受信するための手段と、
アクセスされている前記ワイヤレスキャリアネットワークの前記サービスに関連する1つまたは複数のQoSパラメータとトラフィックフローテンプレートとを含むベアラセットアップ要求をゲートウェイから受信するための手段と、
1つまたは複数のアクセスカテゴリーを含む1つまたは複数のトラフィック管理パラメータに前記1つまたは複数のQoSパラメータをマッピングするための手段と、
前記1つまたは複数のアクセスカテゴリーを含むベアラ構成メッセージを前記ユーザ機器に送信するための手段と、
前記WLANを通して前記ワイヤレスキャリアネットワークの前記サービスにアクセスするために前記接続を確立する前記要求を受信するステップに応答して、前記WLANに関連する選択された1つまたは複数のトラフィック管理パラメータを使用して前記WLANを介してパケットを送信するための手段と、
前記トラフィックフローテンプレートに基づいて送信すべきパケットをフィルタするための手段と、
無線リンクを介して通信用の前記選択された1つまたは複数のトラフィック管理パラメータを前記ユーザ機器に強制するための手段と
を含む、アクセスポイント。
【請求項８】
前記ユーザ機器からベアラ構成完了メッセージを受信するための手段と、
ベアラセットアップ応答を前記ゲートウェイに送信するための手段と
をさらに含む、請求項7に記載のアクセスポイント。
【請求項９】
ベアラセットアップ要求を受信するための手段は、1つまたは複数の発展型パケットシステム(EPS)ベアラQoSパラメータを受信するための手段を含む、請求項7に記載のアクセスポイント。
【請求項１０】
前記1つまたは複数のアクセスカテゴリーに基づいて媒体にアクセスするための手段をさらに含む、請求項7に記載のアクセスポイント。
【請求項１１】
1つまたは複数のトラフィック管理パラメータに前記1つまたは複数のQoSパラメータをマッピングするための手段は、1つまたは複数の拡張分散チャネルアクセス(EDCA)アクセスカテゴリーに前記1つまたは複数のEPSベアラQoSパラメータをマッピングするための手段を含む、請求項7に記載のアクセスポイント。
【請求項１２】
ベアラセットアップ要求をゲートウェイから受信するための手段は、信頼性のあるワイヤレスアクセスネットワークまたは信頼性のないワイヤレスアクセスネットワークのうちの一方から前記ベアラセットアップ要求を受信するための手段を含む、請求項7に記載のアクセスポイント。
【請求項１３】
送信するための手段は送信機を含む、請求項7に記載のアクセスポイント。
【請求項１４】
プロセッサにより実行される場合、アクセスポイントに、
ユーザ機器から、ワイヤレスローカルエリアネットワーク(WLAN)を通してワイヤレスキ
ャリアネットワークのサービスにアクセスするために接続を確立する要求を受信させ、
アクセスされている前記ワイヤレスキャリアネットワークの前記サービスに関連する1つまたは複数のQoSパラメータとトラフィックフローテンプレートとを含むベアラセットアップ要求をゲートウェイから受信させ、
1つまたは複数のアクセスカテゴリーを含む1つまたは複数のトラフィック管理パラメータに前記1つまたは複数のQoSパラメータをマッピングさせ、
前記1つまたは複数のアクセスカテゴリーを含むベアラ構成メッセージを前記ユーザ機器に送信させ、
前記WLANを通して前記ワイヤレスキャリアネットワークの前記サービスにアクセスする
ために前記接続を確立する前記要求を受信するステップに応答して、前記WLANに関連する
選択された1つまたは複数のトラフィック管理パラメータを使用して前記WLANを介し
てパケットを送信させ、
前記トラフィックフローテンプレートに基づいて送信すべきパケットをフィルタさせ、
無線リンクを介して通信用の前記選択された1つまたは複数のトラフィック管理パラメ
ータを前記ユーザ機器に強制させる
コードを含む、非一時的コンピュータ可読記憶媒体。
【請求項１５】
実行される場合、アクセスポイントに
前記ユーザ機器からベアラ構成完了メッセージを受信させ、
ベアラセットアップ応答を前記ゲートウェイに送信させる
コードをさらに含む、請求項14に記載の記憶媒体。
【請求項１６】
実行される場合、アクセスポイントに、1つまたは複数の発展型パケットシステム(EPS)ベアラQoSパラメータを受信させるコードをさらに含む、請求項14に記載の記憶媒体。
【請求項１７】
実行される場合、アクセスポイントに、前記1つまたは複数のアクセスカテゴリーに基づいて媒体にアクセスさせるコードをさらに含む、請求項14に記載の記憶媒体。
【請求項１８】
実行される場合、アクセスポイントに、1つまたは複数の拡張分散チャネルアクセス(EDCA)アクセスカテゴリーに前記1つまたは複数のEPSベアラQoSパラメータをマッピングさせるコードをさらに含む、請求項14に記載の記憶媒体。
【請求項１９】
実行される場合、アクセスポイントに、信頼性のあるワイヤレスアクセスネットワークまたは信頼性のないワイヤレスアクセスネットワークのうちの一方から前記ベアラセットアップ要求を受信させるコードをさらに含む、請求項14に記載の記憶媒体。
【請求項２０】
ワイヤレスローカルエリアネットワーク(WLAN)を通してワイヤレスキャリアネットワー
クのサービスにアクセスするためのアクセスポイントであって、
ユーザ機器から、前記WLANを通して前記ワイヤレスキャリアネットワークの前記サービスにアクセスするために接続を確立する要求を受信し、前記アクセスポイントによって、アクセスされている前記ワイヤレスキャリアネットワークの前記サービスに関連する1つまたは複数のQoSパラメータとトラフィックフローテンプレートとを含むベアラセットアップ要求をゲートウェイから受信するように構成された受信機と、
1つまたは複数のアクセスカテゴリーを含む1つまたは複数のトラフィック管理パラメータに前記1つまたは複数のQoSパラメータをマッピングするように構成されたプロセッサと、前記1つまたは複数のアクセスカテゴリーを含むベアラ構成メッセージを前記ユーザ機器に送信し、前記WLANを通して前記ワイヤレスキャリアネットワークの前記サービスにアクセスするために前記接続を確立する前記要求を受信するステップに応答して、前記WLANに関連する選択された1つまたは複数のトラフィック管理パラメータを使用して前記WLANを介してパケットを送信し、前記トラフィックフローテンプレートに基づいて送信すべきパケットをフィルタし、無線リンクを介して通信用の前記選択された1つまたは複数のトラフィック管理パラメータを前記ユーザ機器に強制するように構成された送信機と
を含む、アクセスポイント。
【請求項２１】
前記受信機は前記ベアラ構成メッセージに応答して前記ユーザ機器からベアラ構成完了メッセージを受信するようにさらに構成され、前記送信機はベアラセットアップ応答を前記ゲートウェイに送信するようにさらに構成される、請求項20に記載のアクセスポイント。
【請求項２２】
前記ベアラセットアップ要求は、1つまたは複数の発展型パケットシステム(EPS)ベアラQoSパラメータをさらに含む、請求項20に記載のアクセスポイント。
【請求項２３】
前記1つまたは複数のアクセスカテゴリーに基づいて媒体にアクセスするように構成される、請求項20に記載のアクセスポイント。
【請求項２４】
前記1つまたは複数のアクセスカテゴリーは、媒体にアクセスするために最小コンテンションウィンドウ値および最大コンテンションウィンドウ値を定義する、請求項20に記載のアクセスポイント。
【請求項２５】
前記プロセッサは、1つまたは複数の拡張分散チャネルアクセス(EDCA)アクセスカテゴリーに前記1つまたは複数のEPSベアラQoSパラメータをマッピングするようにさらに構成される、請求項20に記載のアクセスポイント。
【請求項２６】
前記ゲートウェイは、信頼性のあるワイヤレスアクセスネットワークまたは信頼性のないワイヤレスアクセスネットワークのうちの一方を含む、請求項20に記載のアクセスポイント。